(57)【要約】【課題】単純な構造で機密性の高い、防水・防湿効果の優れたケーブル用グロメットを得る。【解決手段】ケーブル用グロメット１において、導入ケーブル３の導入部分に対応した表面に、複数種の導入ケーブルそれぞれの太さに合った径の異なる複数の同心円状の切込用溝１１と切込円状部分１２ａ，１２ｂ，１２ｂを形成し、ケーブル３の径に対応した切り込み用溝１１を切り抜いて形成したケーブル導入開口１３にケーブル３を導入する。【選択図】　　　　図２
2004096964.tif 000002
【特許請求の範囲】
【請求項１】
ケーブル導入部分に対応した表面円状部分に、導入ケーブルの太さに対応した複数の径の円状切込用溝を形成することを特徴とするケーブル用グロメット。
【請求項２】
上記円状切込用溝が、径の異なる複数の同心円状に形成されていることを特徴とする請求項１に記載のケーブル用グロメット。
【請求項３】
上記円状切込用溝が、複数のケーブル導入部分にそれぞれ対応した複数の表面円状部分に、それぞれ、その一部が重なり合うようにして形成されていることを特徴とする請求項１または請求項２に記載のケーブル用グロメット。
【発明の詳細な説明】
【０００１】
【発明の属する技術分野】
本発明は、光ファイバーケーブル配線盤、分電盤，および配電盤など、特に防水・防湿効果を必要とする電気通信機器筐体の外線ケーブル導入部に取付けるケーブル被覆保護材として働くケーブル用グロメットに関する。
【０００２】
【従来の技術】
近年、光通信機器の発展や普及に伴い、従来の電気通信網に代わり光ファイバーケーブルを通信線路に使用する光ファイバー通信網が急速に整備されており、その通信線路の分配（分岐）、中継、および通信機器への接続を行うために設置される光配線盤が注目されている。そして、これら光配線盤などは、通信網の伝送情報量の増大に伴い、その設置量も増大の一途をたどり設置場所も従来の通信局舎内から、直接、屋外に設置せざるを得なくなってきた。それら光配線盤などを屋外に設置する場合は、屋外といえども設置場所は限られており、自ずとそれらの筐体は小型化が要求されるため、筐体の外線ケーブル導入部は、必然的に小面積化が要求されるとともに、筐体内への防水、防湿効果をも考慮しなければならなくなる。
【０００３】
図４を用いて、従来の技術によるケーブル用グロメットの構造およびその使用態様を説明する。図４において、耐候性に優れた弾性材（例えば、シリコンゴム）からなるケーブル用グロメット１は、表面中央部にケーブル導入開１８を形成するための十字状の切込用溝１９が形成されており、図示を省略した光配線盤などの筐体に設けられた外線ケーブル導入部５に固定され、ケーブル導入開口１８にケーブル３を挿通して使用される（例えば、特許文献１参照）。
【０００４】
【特許文献１】
特公平５‐７０３１８号公報（第５図）
【０００５】
このような、従来技術によるケーブル用グロメット１は、以下のような問題点（欠点）を有している。
【０００６】
（１）グロメット１は、単一ケーブル毎に設けられるものであるから、その大きさ（表面積）は、必然的に、この種の通信線路に使用される最大径のケーブルの太さに対応したものとなってしまい、その結果、ケーブル用グロメット１が取り付けられるケーブル導入部５の面積が大きくなり、光配線盤などの筐体の小型化の傾向に逆らうことになる。
【０００７】
（２）ケーブル３の導入時において、十字状の切込用溝１９にカッターナイフなどにより切込を入れ、その十字状部分を切開いてケーブル導入開口１８を形成して、ケーブル３を貫通させ図示を省略した筐体内に引き込んでいるため、ケーブル３とケーブル導入開口１８との間に隙間ができてしまい、筐体内への防水、防湿効果が損なわれてしまう。
【０００８】
（３）ケーブル３の導入時における、グロメット１の十字状の切込用溝１９への切込は、導入するケーブル３の太さに応じた適切な切込長としなければならず、その切込作業は難しく厄介なものであり、その作業効率が悪いものである。
【０００９】
【発明が解決しようとする課題】
本発明は、以上のような従来技術の問題点に鑑みてなされたものであり、単純な構造で機密性の高い優れた防水・防湿効果を得ることができ、かつ汎用性に富んだケーブル用グロメットを得ることを目的とする。
【００１０】
【課題を解決するための手段】
本発明の第１の手段は、ケーブル導入部分に対応した表面円状部分に、導入ケーブルの太さに対応した径の円状切込用溝を形成するケーブル用グロメットであって、導入ケーブルを導入する時に、その円状切込用溝に切込を入れてその切込円状部分をくり貫くことにより、ケーブルの径に対応した円状のケーブル導入開口を開けて、そのケーブル導入開口に導入ケーブルを貫通させて引き込ませるものである。
【００１１】
本発明の第２の手段は、ケーブル導入部分に対応した表面円状部分に、太さの異なる複数種の導入ケーブルそれぞれの太さに対応した径の異なる複数の同心円状の切込用溝を形成したケーブル用グロメットであって、導入ケーブルの導入時に、複数の同心円状切込溝の中から導入ケーブルの太さに対応した円状切込用溝を選択して切込を入れてその切込円状部分をくり貫くことにより、円状のケーブル導入開口を空けて、そのケーブル導入開口にケーブルを貫通させて引き込ませるものである。
【００１２】
本発明の第３の手段は、複数のケーブル導入部分に対応した複数の表面円状部分に、複数種の導入ケーブルそれぞれの太さに対応した径の異なる複数の同心円状切込用溝を、それぞれその一部が重なり合うように形成したケーブル用グロメットであって、導入ケーブルの導入時に、導入ケーブルの導入本数、およびそれらの太さに対応した径の円状切込用溝に切込を入れてその切込円部分をくり貫くことにより、円状のケーブル導入開口を空けて、そのケーブル導入開口に単一ないし複数のケーブルを貫通させて引き込ませるものである。
【００１３】
【発明の実施の形態】
以下、図１、図２，図３を用いて、本発明にかかるケーブル用グロメットの実施の態様を説明する。図１は本発明にかかるケーブル用グロメットの平面形状を説明する図であり、図２はその斜視図である。図１、図２（Ａ）に示すように、ケーブル用グロメット１は、耐候性に優れた弾性材（例えば、シリコンゴム）からなり、その表面中央部、および中央両側部のケーブル導入部分に対応した表面円状部分に、径の異なる複数の円状の切込用溝１１を同心円状に配置した切込円状部分１２ａ，１２ｂ，１２ｂを複数個（図では、３個）、それぞれの一部が重なり合うように配置形成されている。
【００１４】
円状切込用溝１１は、ケーブル用グロメット１の裏面に達するか裏面近くまでの深さに形成される。円状切込用溝１１がケーブル用グロメット１の裏面に達するように形成される場合には、円状切込用溝１１は、橋絡部１１１によって部分的に途切れて形成される。
【００１５】
また、上記切込円状部分１２ａ，１２ｂ，１２ｂは、その中央に位置する切込円状部分１２ａを比較的太いケーブル用とし、中央両側に位置する切込円状部分１２ｂ，１２ｂを比較的に細いケーブル用とすれば、同一のグロメットを用いて、比較的太いケーブル１本、あるいは比較的細いケーブル複数本（図では、２本）の導入ケーブル３を引き込むことができる。
【００１６】
本発明における第１の実施の態様を、図２を用いて説明する。第１の実施の形態において、ケーブル用グロメット１は、切込円状部分１２ａから所定の径の同心円状切込用溝１１を切削することによって切取部１４ａを切り抜いて形成したケーブル導入開口１３に導入ケーブル３を保持している。
【００１７】
いま、比較的太いケーブル３を１本導入する場合、ケーブル用グロメット１の表面中央部の切込円状部分１２ａに形成された径の異なる複数の同心円状切込用溝１１のうち、導入するケーブル３の太さに対応した径の同心円状切込用溝１１を選んで、その同心円状切込用溝１１に沿ってカッターナイフなどにより切込を入れ、その切取部１４ａを切り抜くことよってケーブル導入開口１３ａを空けて、このケーブル導入開口１３ａに導入ケーブル３を貫通させて引き込ませる。
【００１８】
このとき、表面中央部の切込円状部分１２ａの残った切込円状部分１２ａ´と中央両側部の切込円状部分１２ｂ，１２ｂは、それらの部分を円状切込用溝１１に沿って取除かない限り切り抜かれることはないから、円状切込部１２から切取部１４ａを切り抜いた円状のケーブル導入開口１３ａは、その切取部１４ａの大きさより大きくなることはなく、導入ケーブル３の太さに合った口径のものとなる。
【００１９】
以上のように、本発明のケーブル用グロメットは、導入ケーブル３の太さに合った径の円状切込部分１２を切り抜いてケーブル導開口１３を形成するものであるから、導入ケーブル３とケーブル導入開口１３の内側壁とが密着しそれらの間に隙間がない機密性の高いものとなり、光配線盤などの筐体内部の防水、防湿効果を損なうことがないものとなる。
【００２０】
次に、本発明における第２の実施の態様を、図３を用いて説明する。この実施の形態は導入ケーブル３を２本引き込む場合を示している。第２の実施の形態にかかるケーブル用グロメット１は、図示を省略した筐体に設けた図４に示したケーブル導入部５に保持されており、２個の切込円状部分１２ｂを切り抜いた２個のケーブル導入開口１３ｂに導入ケーブル３を保持している。
【００２１】
いま、比較的に細い２本のケーブル３，３を導入する場合、グロメット１の中央両側部に形成された２個の切込円状部分１２ｂ，１２ｂに形成された径の異なる複数の同心円状切込用溝１１のうち、導入する２本のケーブル３，３それぞれの太さに対応した径の同心円状切込用溝１１，１１を選んで、その同心円状切込用溝１１，１１に沿ってカッターナイフなどにより切込を入れ、その切取部１４ｂ，１４ｂをくり貫くことよって２個のケーブル導入開口１３ｂ，１３ｂを開けて、このケーブル導入開口１３ｂ，１３ｂのそれぞれに導入ケーブル３，３を貫通させて引き込ませる。
【００２２】
このとき、中央両側に位置する切込円状部分１２ｂ，１２ｂの残った切込円状部分１２ｂ´、１２ｂ´、および表面中央部に位置する切込円状部分１２ａは、それらの部分を円状切込用溝１１に沿って取除かない限りくり貫かれることはないから、切取部１４ｂ，１４ｂを切り抜いた円状のケーブル導入開口１３ｂ，１３ｂは、その切取部１４ｂ，１４ｂの大きさより大きくなることはなく、導入ケーブル３，３それぞれの太さに対応した口径のものとなる。
【００２３】
以上のように、本発明のケーブル用グロメットは、導入ケーブル３，３のそれぞれの太さに対応した径の切込円状部分１２ｂ，１２ｂのみをくり貫いてケーブル導入開口１３ｂ，１３ｂを形成するものであるから、導入ケーブル３，３とケーブル導入開口１３ｂ，１３ｂの内側壁とが密着しそれらの間に隙間がない機密性の高いものとなり、光配線盤などの筐体内部の防水、防湿効果を損なうことがないものとなる。
【００２４】
【発明の効果】
以上のような、本発明のケーブル用グロメットによれば、次のような作用効果を奏することができる。
【００２５】
（１）導入ケーブル３の太さに対応した径の切込円状部分１２のみをくり貫いてケーブル導入開口１３を形成したことによって、ケーブル３とケーブル導入開口１３の内側壁とが密着しそれらの間に隙間が生じることがない機密性の高いものとなり、光配線盤などの筐体内部の防水、防湿効果を損なうことがない。
【００２６】
（２）その表面に、ケーブル導入部分に対応して、太さの異なる複数種の導入ケーブルそれぞれの太さに合った径の異なる複数の同心円状切込用溝１１を形成したことによって、簡単かつ容易に、導入するケーブル３の太さに対応したケーブル導入開口１３を形成することができるので、太さの異なる複数種の導入ケーブル３に対応させることができる。
【００２７】
（３）それぞれの一部が重なり合うように、複数個の同心円状切込用溝１１を形成することによって、同一の大きさ（表面積）で、複数本の太さの異なる複数種の導入ケーブルに対応させることができ、より汎用性に富んだケーブル用グロメットが得られる。
【図面の簡単な説明】
【図１】本発明にかかるケーブル用グロメットの形状を説明する平面図。
【図２】本発明にかかるケーブル用グロメットの第１の実施の態様を示す説明図。
【図３】本発明にかかるケーブル用グロメットの第２の実施の態様を示す説明図。
【図４】従来技術によるケーブル用グロメットの実施の態様を示す説明図。
【符号の説明】
１　ケーブル用グロメット
１１　円状切込用溝
１１１　橋絡部
１２　切込円状部分
１３　ケーブル導入開口
１４　切取部
１８　ケーブル導入開口
１９　十字状切込用溝
３　導入ケーブル
５　ケーブル導入部
【図１】
2004096964.tif 000003
【図２】
2004096964.tif 000004
【図３】
2004096964.tif 000005
【図４】
2004096964.tif 000006